(57)【特許請求の範囲】
【請求項１】
引出し（３）のためのレール機構（４）であって、
家具枠体（２）に固定される枠体レール（６）と、該枠体レール（６）に対して可動である少なくとも１つの引出しレール（７）と、少なくとも１つのラック（９）とピニオン（８）の組合せ構造物と、を含んでおり、
前記ラック（９）に対する前記ピニオン（８）の係合深度を制限する制限装置（１８）をさらに含んでおり、
それにより前記ピニオン（８）の歯（８ａ）は、前記ラック（９）の対応する歯の間隙（９ａ）と部分的にのみ係合し、
前記制限装置（１８）は、前記レール機構（４）の長手方向に配置された弾性屈曲するプラスチック部材（１８ｂ）の走行面上を走行するランナーホイール（１８ａ）を有しており、
該ランナーホイール（１８ａ）は、前記ピニオン（８）と前記ラック（９）との間で緩衝材として作用する前記部材（１８ｂ）上を走行することを特徴とするレール機構。
【請求項２】
前記ランナーホイール（１８ａ）は、前記ピニオン（８）の回転軸に対して共軸的に取り付けられていることを特徴とする請求項１記載のレール機構。
【請求項３】
前記制限装置（１８）は、少なくとも１つの翼部（１８ｃ）を有しており、該翼部は、前記ラック（９）の下方で係合し、それによって前記ラック（９）に対する前記ピニオン（８）の離脱高は制限されることを特徴とする請求項１または２記載のレール機構。
【請求項４】
前記ラック（９）は、固定先である前記枠体レール（６）、前記引出しレール（７）、および中央レール（１０）に対して限定的上下可動状態で取り付けられていることを特徴とする請求項１から３のいずれかに記載のレール機構。
【請求項５】
前記ラック（９）は、弾性屈曲領域（１５）によって限定的上下可動状態で取り付けられていることを特徴とする請求項４記載のレール機構。
【請求項６】
前記ラック（９）は、フィルムヒンジ（１５ａ）によって前記枠体レール（６）、前記引出しレール（７）、および前記中央レール（１０）の一つに接続されていることを特徴とする請求項４または５記載のレール機構。
【請求項７】
前記ラック（９）は、アダプター（１９）上に構成され、あるいは提供され、
該アダプター（１９）は、少なくとも１つの固定位置（２１ａ、２１ｂ）で前記枠体レール（６）、前記引出しレール（７）、および前記中央レール（１０）の一つに接続され、あるいは解放可能である着脱式に接続されることを特徴とする請求項４または５に記載のレール機構。
【請求項８】
前記アダプター（１９）は、略Ｌ形状であり、
取り付け位置において、前記Ｌ形状アダプター（１９）の脚部（１９ａ）は、前記枠体レール（６）の垂直翼部に接し、
前記Ｌ形状アダプター（１９）の別脚部（１９ｂ）は、前記枠体レール（６）の水平翼部に接することを特徴とする請求項７記載のレール機構。
【請求項９】
前記アダプター（１９）は、前記枠体レール（６）と前記家具枠体（２）との間で本レール機構（４）にネジ固定されることを特徴とする請求項７または８記載のレール機構。
【請求項１０】
前記ラック（９）は、前記枠体レール（６）または前記家具枠体（２）上に構築されており、
前記ピニオン（８）は、前記引出しレール（７）または前記引出し（３）上に取り付けられていることを特徴とする請求項１から６のいずれかに記載のレール機構。
【請求項１１】
前記ラック（９）は、前記引出しレール（７）または前記引出し（３）上に構築されており、
前記ピニオン（８）は、前記枠体レール（６）または前記家具枠体（２）上に取り付けられていることを特徴とする請求項１から６のいずれかに記載のレール機構。
【請求項１２】
請求項１から１１のいずれかに記載のレール機構を２つ含んだ構造であって、
前記２つのレール機構（４）は、家具（１）の両側壁に対向状態で固定され、
前記レール機構（４）は、同期棒体（５）によって同期動作の伝達のために連結されており、
少なくとも１つのピニオン（８）は、前記レール機構（４）のラック（９）に係合することを特徴とする構造。
【請求項１３】
請求項１２記載の構造を含んでいることを特徴とする家具。
【発明の詳細な説明】
【技術分野】
【０００１】
本発明は、引出し用レール機構に関する。特に、家具枠体に固定される枠体レールと、その枠体レールに対して可動である少なくとも１つの引出しレールと、少なくとも１つのラックとピニオンの組合せ構造物とを含んだレール機構に関する。
【０００２】
本発明は、本明細書で説明する２つのレール機構の構成にも関する。これらレール機構は、家具の両側壁に取り付けられ、同期棒体によって同期動作の伝達のために連結されている。
【背景技術】
【０００３】
通常では、このようなレール機構は、ラックとピニオンの組合せ構造物により、家具で対向状態にある２つの引出し延出ガイドの相対動作を同期させるために採用される。これで、特には引出しである、延出可能な家具部の正確な平行移動ガイド機能が提供される。
家具枠体に対するこの平行ガイド機能は、特に非常に細身である引出し、または非常に幅広である引出しを移動させる際に有用である。このような機能を備えた引出しは、平行ガイド機能の効果によって横方向の傾斜が実質的に防止される。対向状態で配置されたレール機構の動作は、延出方向に対して横断方向に延びる同期棒体によって連続的に同期される。同期棒体の両端領域には、ピニオンが取り付けられている。これらは、同期されるレール機構のラック内にそれぞれ係合する。
本出願人の特許文献１は、ラックとピニオンの組合せ構造物を備えたこのような平行ガイド機構を開示している。知られているレール機構では、ラックとピニオンとの間の歯止め接続がレール機構のスタック（停止）状態を招く問題が時に発生することがあり、通常の利用において引出しの不都合な動作不良が発生する。
【先行技術文献】
【特許文献】
【０００４】
【特許文献１】欧州特許第１０３６５２６Ｂ１号明細書
【発明の概要】
【発明が解決しようとする課題】
【０００５】
従って、本発明の目的は、本明細書の初頭に記載したような改良型の走行特性を備えたレール機構を提案することである。
【課題を解決するための手段】
【０００６】
本発明の上記目的は、「請求項１」の特徴により達成される。本発明の他の有利な形態は、「従属請求項」において記載されている
本発明により、ピニオンの歯がラックの対応する歯間内に部分的に係合（歯合）するようにピニオンのラックに対する係合深度を制限する制限装置が提供される。
【０００７】
原則的には、ラックとピニオンの組合せ構造物では、ピニオン歯のラック歯間内への係合が深過ぎたり浅過ぎたりしないように注意することが肝要である。提案の制限装置は、ラックに対するピニオンの係合深度を所定値または所定の範囲内とすることを可能にする。この機能によってラックとピニオンとの間のスタック（および引出しレール機構のスタック）リスクが実質的に低減する。さらにこの機能によって騒音を抑えたレール機構の移動も可能になる。
【０００８】
本発明の一実施態様では、制限装置は、レール機構の長手方向に配置された部材の走行面を走行するランナーホイール（走行輪）を有している。この部材は、ラックとランナーホイールとの間で緩衝材として作用する弾性屈曲プラスチック部材の形態でよい。ランナーホイールは、構造的に単純な形態であり、ピニオンの回転軸に共軸的に取り付けられている。
【０００９】
本発明の別形態では、制限装置は、少なくとも１つの翼部を有する。この翼部は、ラックの下側に係合しており、翼部によってラックに対するピニオンの上昇離脱が制限できる。言い換えると翼部は、ピニオンがラックから離脱することなく、ピニオンとラックとの間の歯止め接続状態を喪失させずに確実にピニオンの歯をラック内に十分深く係合させる。
【００１０】
本発明の一実施態様では、ラックは、それが固定されるレールに対して限定的に上下可動であるように取り付けられる。
【００１１】
ラックを限定的に上下可動とする取り付けは、引出しの引き出し時および押し込み時に、上下方向に弾性的に取り付けられているラックがスタック状態においてピニオンに対して屈曲できるので、ピニオンとラックとの間で傾斜を実質的に回避させる。しかしこの場合でもピニオンとラックとの間の歯止め接続状態は維持される。従って固有の弾性力または、バネ作用によって予めラックをピニオンに対して弾性的に荷重状態にしておくことができる。
【００１２】
一実施態様においては、ラックは、弾性屈曲部材によって限定的に上下可動に取り付けられる。弾性屈曲領域は、垂直方向に変形後、ラックが元の位置に再び自動的に戻るように設計されている。
【００１３】
本発明の一実施態様によれば、ラックは、フィルムヒンジ（膜蝶番）を利用して一方のレールに接続される。ラックとレールの静止または上下不動部材との間のこのような一体的なヒンジ接続は、薄壁接続（例えばレールの長手方向に延伸する溝）によって提供できる。ラックを長軸周囲で旋回させる可撓ヒンジの使用も同様に有利である。
【００１４】
本発明の別形態では、ラックをアダプター上に配置または提供できる。アダプターは、少なくとも１つの固定位置を活用して一方のレールに接続され、あるいは解放可能に接続可能である。この点においてアダプターがＬ形状のものであることが望ましい。そうであれば、その取り付け位置においてＬ形状の一方の脚部が枠体レールの垂直翼部に接し、Ｌ形状の他方の脚部が枠体レールの水平翼部に接する。レール機構の家具枠体への取り付けと同時にアダプターを固定することで簡単な固定が可能である。
【００１５】
レール機構のラックに係合する少なくとも一つのピニオンが利用されることは重要な特徴である。ラックに係合するピニオンは、平行ガイドピニオンとして直接的または間接的に同期棒体と連結できる。特にピニオンと同期棒体との間に非回転式の接続が提供される。
【００１６】
第１の実施形態では、ラックは、枠体レール上または家具枠体上に提供され、ピニオンは、引出しレール上または引出し上に取り付けられる。別実施形態では、ラックが引出しレール上または引出し上に提供され、ピニオンが枠体レール上または家具枠体上に取り付けられる。
【００１７】
本発明のさらなる詳細と利点を以下において図面を利用して詳細に説明する。
【図面の簡単な説明】
【００１８】
【図１】図１は、両側に対向して設置されたレール機構によって家具枠体に対して可動に取り付けられている引出しを備えた家具の斜視図である。
【図２ａ】図２ａは、レール機構の斜視図であり、引出しの動作を同期させるように提供されているラックは、枠体レール上に提供されている。
【図２ｂ】図２ｂは、引出し上に提供されたラックの斜視図である。
【図３ａ】図３ａは、レール機構の断面図であり、ラックは、フィルムヒンジによって枠体レールに接続されている。
【図３ｂ】図３ｂは、図３ａの丸内部の拡大詳細図である。
【図４ａ】図４ａは、レール機構の背面図である。
【図４ｂ】図４ｂは、レール機構の斜視図である。
【図５ａ】図５ａは、本発明の１実施例によるラックを設置したアダプターの分解斜視図である。
【図５ｂ】図５ｂは、レール機構の取り付け位置での断面図である。
【図６ａ】図６ａは、家具枠体の両側に対向して取り付けられた２つのレール機構の動作を同期させるように提供された同期棒体の１実施例の斜視図である。
【図６ｂ】図６ｂは、そのような同期棒体の断面図である。
【発明を実施するための形態】
【００１９】
図１は、キャビネット形態で家具枠体を有した家具の斜視図である。この家具には、引出し３がレール機構４によって家具枠体２に対して相対的に移動できるように取り付けられている。引出し３の両側には、それぞれレール機構４が提供されている。これら２つのレール機構４は、家具枠体２の両側壁に対向状態で固定されている。同期バー５がトーションシャフトの形態で提供されており、引出し３の延出方向に対して横断方向に延びている。２つのレール機構４の動作は、同期棒体５によって互いに同期可能である。よって家具枠体２に対して引出し３の正確な平行ガイド機能の提供も可能になる。２つのレール機構４は、それぞれ家具枠体２に固定される家具レール６と、枠体レール６に対して移動可能な少なくとも１つの引出しレール７とを有している。
同期棒体５の機能は、左右の引出しレール７の動作を互いに対して同期させ、傾斜させることなく引出し３を家具枠体２から引き出したり、押し込んだりさせることである。端部領域にて同期棒体５は、回転式に取り付けられ、レール機構４のラック９と歯合する少なくとも１つのピニオン８を有している。機構的反転により、ラック９を引出し３または引出しレール７に取り付け、ピニオン８を枠体レール６または家具枠体２に取り付けることも可能である。
【００２０】
図２ａは、家具枠体２に固定された枠体レール６と、移動可能な引出しレール７とを備えたレール機構４の斜視図である。中央レール１０は、家具枠体２に対して引出し３を最大限に延出させるために、知られた方法により枠体レール６と引出しレール７との間で移動可能に取り付けられている。個々のレール機構４のレール動作を同期させるため、中央レール１０に回転式に取り付けられたピニオンを備え、進行状態である動作のスライドに応じて相互に対して可動である引出しレール７と中央レール１０を制御できる同期装置１１が提供されている。これにより、引出しレール７は、中央レール１０のほぼ２倍の速度で移動する。取付ブロック１２は、延出可能な引出しレール７に固定式に接続されている。ラック９に係合する図１で示すピニオン８は、取付ブロック１２に収容されている。
ラック９は、引出し３の延出方向に延伸しており、枠体レール６、引出しレール７あるいは、中央レール１０の実質的全長にわたって延びている（本例の場合には枠体レール６の全長）。ラック９が枠体レール６、引出しレール７あるいは中央レール１０の一部だけ延びることも可能である。引出し３が延出方向１３に引き出されると、引出し７は、そこに提供された取付ブロック１２と共に前方移動し、同期棒体５と共にラック９に沿って移動する。ピニオン８もラック９と共に走行する。家具枠体２の両側に対向して取り付けられた２つのレール機構４のピニオン８の動作は、同期棒体５によって同期可能である。
【００２１】
図２ｂは、単に概略的に上記の構造の機構的反転を示している。すなわちピニオン８を備えた取付ブロック１２が枠体レール６に取り付けられ（あるいは家具枠体２に取り付けられ）、ラック９は、引出しレール７に取り付けられている（また引出し３に取り付けられている）。
【００２２】
図３ａは、静止枠体レール６、それに対して相対的に移動する中央レール１０および引出しレール７を備えたレール機構４の縦断面図である。荷重伝達回転体を備えた移動可能な走行キャリッジ１４ａと１４ｂは、枠体レール６、引出しレール７および中央レール１０の間に取り付けられている。図示の実施例では、ラック９は、弾性屈曲領域１５を介して枠体レール６の静止部に接続されている。
図３ｂは、図３ａの丸で囲んだ領域の拡大図である。
この実施例では、弾性屈曲領域１５の機能は、フィルムヒンジ１５ａによって実現されている。すなわち、枠体レール６の虚弱局部によって実現され、溝１６の形態で枠体レール６、引出しレール７および中央レール１０の長手方向に延伸し、上下方向でラック９に部分的可撓性を提供している。ピニオン８とラック９との間でのスタックのリスクは、この構造で大きく低減可能である。ラック９の上下移動可能な取り付けは、フレキシブルなヒンジによって実行でき、これによりラック９は、両方向矢印で示すように限定的に上方可動状態にて取り付けられている。
【００２３】
図４ａは、レール機構４に接続された引出し３の背面図である。
取付ブロック１２は引出しレール７に固定的に接続され、ピニオン８は、枠体レール６に接続されたラック９に係合する。家具枠体２で両側に対向した関係で設置されている２つのレール機構４のピニオン８の回転動作は、同期棒体５によって互いに同期される。この実施例では、同期棒体５は、２部分で成る形態であり、結合部１７で相互接続された２つのシャフト部５ａと５ｂを含む。同期棒体５の結合部１７は、２つの対向して設置されたレール機構４の取り付け誤差、上下誤差および角度のずれを相殺させることができる。結合部１７は、２つのシャフト部５ａと５ｂの相対的回転動作が可能となるように構成されている。
【００２４】
図４ｂは、閉鎖位置にあるレール機構４の背後からの斜視図である。
レール機構４は、ラック９に対するピニオン８の係合深度を制限する制限装置１８を有しており、ピニオン８の歯８ａをラック９の対応する歯の隙間９ａに部分的にだけ係合させる。制限装置１８は、ランナーホイール１８ａを含む。これは好適には、摩擦ホイールの形態であり、ピニオン８に対して共軸回転するように取り付けられる。ランナーホイール１８ａの直径は、ピニオン８の直径よりも小さい。ラック９のほぼ全長にわたって延びることができる、好適には、弾性屈曲する部材１８ｂが提供される。ランナーホイール１８ａは、プラスチック材料製の部材１８ｂの走行面を走行するか、走行面に沿って走行する。これでピニオン８の歯８ａは、ラック９の歯の間隙９ａとは完全には係合しない。これでピニオンとラック９との間のスタックが効果的に防止でき、通常使用における引出し３のスタックのリスクも除かれる。制限装置１８は、翼部１８ｃも含む。これは、ラック８の下側に係合し、それによってラック９に対するピニオン８の離脱高が制限可能になる。この実施例では、翼部１８ｃは、取付ブロック１２の一部であり、引出し３の動作により静止ラック９に沿って移動できる。プラスチック部材１８ｂは、ピニオン８とラック９との間で事実上の緩衝材として作用する。そのためピニオン８は、遊びが存在しない状態で静かにガイドされる。
【００２５】
図５ａは、レール機構４の分解図であり、ラック９は、実質的にＬ形状であるアダプター１９上に提供されている。アダプター１９は、互いにほぼ直交するようにアレンジされた２本の脚部１９ａと１９ｂを含む。ラック９は、脚部１９ｂに取り付けられる。アダプター１９は、特に、製造元から、または後付けであるラック９を備えた（枠体レール６と、それに対して移動可能な少なくとも１つの引出しレール７とを含んだ）引出し３のために商業的に入手可能な延出ガイドを既に装備しているものにも適している。アダプター１９は、プラスチック材料または金属で製造できる。アダプターは、枠体レール６の固定位置１６ａと１６ｂに整合した固定位置２１ａと２１ｂを有する。従って取り付け過程でネジが枠体レール６の固定位置６ａと６ｂおよびアダプター１９の固定位置２１ａと２１ｂとを通過し、家具枠体２に固定される。アダプター１９の固定位置２１ａと２１ｂは、可能な形態を示すだけのものである。アダプター１９とレール機構４との間のスナップ式接続も可能である。
【００２６】
図５ｂは、家具枠体２に固定された図５ａで示す枠体レール６を図示する。取り付け過程でアダプター１９の脚部１９ａは、枠体レール６と家具枠体２との間にネジ固定される。アダプターの下方脚部１９ｂは、弾性であり、その上に取り付けられたラック９は、引出し２の移動時にピニオン８とラック９との間のスタックを防止するために上下の動きが限定されて取り付けられる。
【００２７】
図６ａは、家具枠体２で対面状態である２つのレール機構４の同期のために提供された同期棒体５の実施例を示す。同期棒体５は、２部分で成る構造であり、結合部１７で連結された２つのシャフト部５ａと５ｂを含んでいる。結合部１７は、２つのシャフト部５ａと５ｂを互いに放射状に可動とする。結合部１７は、シャフトジョイントの形態でよい。特にカルダンジョイントまたはボールジョイントでよい。このように、家具枠体２で対向状態である２つのレール機構４の相対移動を相殺することが可能である。
図６ｂは、図６ａで示す２つのシャフト部５ａと５ｂを備えた同期棒体５の断面図である。シャフト部５ａにアレンジされ、結合部１７の対応する歯の構造部に係合するギヤヘッドが図示されている。
【００２８】
本発明は、以上説明した実施例に限定されず、「請求の範囲」で定義された範囲内のすべての技術的均等物を含む。例えば、上、下、横、等々、ここで採用されている位置表現は、図示の形態に即したものであり、全体の方向が変化すれば、それに合わせて適宜変更されるべきものである。
【図１】
0005905395.tif 000002
【図２ａ】
0005905395.tif 000003
【図２ｂ】
0005905395.tif 000004
【図３ａ】
0005905395.tif 000005
【図３ｂ】
0005905395.tif 000006
【図４ａ】
0005905395.tif 000007
【図４ｂ】
0005905395.tif 000008
【図５ａ】
0005905395.tif 000009
【図５ｂ】
0005905395.tif 000010
【図６ａ】
0005905395.tif 000011
【図６ｂ】
0005905395.tif 000012